(57)【要約】      （修正有）【課題】目視監視或いは写真判別が容易な配管接続状態検出方法及び検出具を提供する。【解決手段】配管接続状態検出具２００では、上流にある上流配管２０１から色付液体を流し、下流にある下流配管内を流れる液体の色を検出して、上流配管２０１と下流配管２０２の接続性を検出する場合に、配管内を流れる液体の背景にある背景色による視認の困難性を回避するために、下流配管２０２の出口から流れる流体に、繊維又は粒子間の毛細管現象又は吸液ゲルによる吸液浸透性の白色の糸束状又はフィルム状の吸液手段を備える。【選択図】図１
0003187308.tif 000002
【実用新案登録請求の範囲】
【請求項１】
上流にある上流配管から色付液体を流し、下流にある下流配管内を流れる液体の色を検出して、上流配管と下流配管の接続性を検出する場合に、下流配管の出口から流れる流体に浸して吸液させ、浸透着色させるためのものであり、繊維又は粒子間の毛細管現象又は吸液ゲルによる吸液浸透性の白色の糸束状又はフィルム状の吸液手段を備えたことを特徴とする配管接続状態検出具。
【請求項２】
前記吸液手段は、前記糸束状又はフィルム状のものを重ね又は巻いた状態とした特徴とする請求項１記載の配管接続状態検出具。
【請求項３】
前記吸液手段は、前記糸束状又はフィルム状のものに、１回の検査で必要な所望の長さで切るための切り込みを備えたことを特徴とする請求項１又は請求項２記載の配管接続状態検出具。
【請求項４】
前記吸液手段は、前記流体に部分的に浸漬させ、そこからの色付液体の浸透による色成分の着色状態を検出するための前記流体の浸漬境界となる目安線を備えたことを特徴とする請求項１から請求項３のいずれか１つに記載の配管接続状態検出具。
【考案の詳細な説明】
【技術分野】
【０００１】
本考案は、互いに離れた場所にあるマンホールや上下水配管などの配管接続状態を検出する際に使用する検出具に関するものである。
【背景技術】
【０００２】
互いに離れた場所にあるマンホールや上下水道の配管の接続を行う場合に、
時には、別の配管に接続してしまい、不都合が起こった後で気づいてやり直すことがある。多数の配管が集合しているとどれが所望の配管か不明のこともあり、又表示を信用して施工したら、表示が間違っていたなどの不都合がよくある。そのため、従来からこのような場合には、所望の配管と思しき配管の上流から無害な色素を含む水などの液体を流して、離れた場所にある所望の配管と思しき配管の出口で流体を目視し色を見て接続状態を確認する方法が取られていた。特許文献１には、色素流脈法としてこれが紹介されている。更にこの文献では、流体中に微細な気泡を送り込み、これを透明な可視化槽に送り込み、光を照射し、気泡の動きをカメラ等の観測装置で観測する方法を提供している。
色素流脈法は、極めて簡単であり、装置も要らない利点の反面、流れている流体が濃い色である場合には観測しやすいが、途中の配管で他の配管からの流体の流入により薄められる可能性があり、必ずしも濃い色となるとは限らない。又、特別に透明の容器にでも通過させないと、目視での観測が難しい。特に、通常の配管内では、配管の色、汚れ、汚泥などが流体の底にある場合は、上澄みの流体が着色していても可視判定が難しい場合があった。特許文献１の気泡を観測する方法は、透明な可視化槽やカメラなどの監視装置など必要な装置が必要であり単純ではない不都合がある。
【先行技術文献】
【特許文献】
【０００３】
【特許文献１】特開昭６１−１２２５７２
【考案の概要】
【考案が解決しようとする課題】
【０００４】
以上のような従来の色素流脈法の単純簡易さの利点を生かしながら、目視監視或いは写真判別が容易な配管接続状態検出具を提供することである。
【課題を解決するための手段】
【０００５】
本考案の配管接続状態検出具は、上流にある上流配管から色付液体を流し、下流にある下流配管内を流れる液体の色を検出して、上流配管と下流配管の接続性を検出する場合に、配管内を流れる液体の背景にある背景色による視認の困難性を回避するために、
下流配管の出口から流れる流体に、繊維又は粒子間の毛細管現象又は吸液ゲルによる吸液浸透性の白色の糸束状又はフィルム状の吸液手段を有する。
以下、請求項に沿って記述する。
【０００６】
請求項１記載の考案は、配管接続状態検出具であって、
上流にある上流配管から色付液体を流し、下流にある下流配管内を流れる液体の色を検出して、上流配管と下流配管の接続性を検出する場合に、下流配管の出口から流れる流体に浸して吸液させ、浸透着色させるためのものであり、繊維又は粒子間の毛細管現象又は吸液ゲルによる吸液浸透性の白色の糸束状又はフィルム状の吸液手段を備えたことを特徴とする。
【０００７】
請求項２記載の考案は、請求項１記載の配管接続状態検出具において、
前記吸液手段は、前記糸束状又はフィルム状のものを重ね又は巻いた状態とした特徴とする。
【０００８】
請求項３記載の考案は、請求項１又は請求項２記載の配管接続状態検出具において、
前記吸液手段は、前記糸束状又はフィルム状のものに、１回の検査で必要な所望の長さで切るための切り込みを備えたことを特徴とする。
【０００９】
請求項４記載の考案は、請求項１から請求項３のいずれか１つに記載の配管接続状態検出具において、
前記吸液手段は、前記流体に部分的に浸漬させ、そこからの色付液体の浸透による色成分の着色状態を検出するための前記流体の浸漬境界となる目安線を備えたことを特徴とする。
【考案の効果】
【００１０】
以上の様に構成されているので、本考案による配管接続状態検出具は、配管の出口で液体色を視認するより視認しやすい状態で、しかも配管の背景の影響をなくして、具体的検出証拠物を提供した検出が可能となる。
【図面の簡単な説明】
【００１１】
【図１】本考案による配管接続状態検出具の一実施態様を示す図である。
【考案を実施するための形態】
【００１２】
上流にある上流配管から色付液体を流し、下流にある下流配管内を流れる液体の色を検出して、上流配管と下流配管の接続性を検出する場合に、下流配管内を流れる液体の背景にある背景色による視認の困難性を回避するために、
下流配管の出口から流れる流体に、繊維又は粒子間の毛細管現象又は吸液ゲルによる吸液浸透性の白色の糸束状又はフィルム状の吸液手段による検出具を浸して吸液させ、検出具の着色状態により前記色付液体を流した上流配管と下流配管の接続性を判断する。
以下図に沿って説明する。
【００１３】
図１は、本考案による配管接続状態検出具の一実施態様を示す図である。
１−Ａにおいて、例えば、異なる離れた場所ＡとＢ、Ｃ、Ｄに多数の配管があり、これらは、Ｅの場所の途中配管で接続している状況が示されている。Ａ場所には、ａ、ｂ、ｃ、ｄ、ｅ、ｆ、ｇ、ｈの配管があり、これらが、Ｅ場所の途中配管により、Ｂ場所の１、２、３、４、５、６、Ｃ場所の７、８、９、Ｄ場所の１０、１１、１２の配管のいずれかに繋がっている。どれに繋がっているかを従来は、上流側のａ〜ｈの上流配管から色付液体を流して、下流の１〜１２の下流配管の出口で液体の色を目視して判断していた。本願では、白色の吸液手段を備えた検出具２００に吸液させることで、色付きのコントラストをよくし、背景色による視認し難さを回避して液体色を見やすくして、配管の接続状況を検出するものである。尚、当然、下流配管２０２の出口で液体色が観測できた配管は、上流の別の場所で色液体を流した上流配管２０１に繋がっているという考えで判断している。
【００１４】
吸液手段としては、自然繊維、化学繊維、これらを束ねた糸束、又は紙などのフィルムにして、繊維又は粒子の間の毛細管現象により吸液をしやすくしたものが好適である。これ以外に、基板台紙に吸水シリコンゲルの細粒を貼り付けた糸束又はフィルムも用いることができる。１−Ｂには、繊維を組んだもの、粒子を台紙上に貼り付けたもののイメージを示す。
【００１５】
糸束又はフィルムの全面を色液に曝した場合には、糸束又はフィルムは色液の色に着色し、糸束又はフィルムの元の色に浮き上がって色が濃く見え、乾燥すると尚色濃くなるので、極めて視認性が良くなる。更に、証拠物又はカメラで写真として残せるので、証拠の残らない単なる視認より確かな証拠が報告書として残る。
【００１６】
１−Ｅ、１−Ｆにおいて、糸束又はフィルムの一部を色液に曝す場合（曝し部２０４）には、曝す目安の位置に目安線を備えると、そこまで色液に曝すと、目安線２０５から糸束又はフィルムの先に色液が毛細管現象により浸透してゆく。流した色は、例えば同じ赤に見えても、成分が異なる場合がよくある。成分により、浸透の度合いが違うために、他成分の色素では、成分が分かれて色が分離（成分分離部２０６）してくる。これはクロマトグラフィーとして知られている。
この現象を利用すると、糸束又はフィルム上の色分離パターンを見て、流した色を同定することができる。このようにすると、色の成分が違うもの色液を各々の配管に流して、糸束又はフィルムを適用した下流配管２０２と上流配管２０１の接続状態を同定することも可能である。
【００１７】
１−Ｃ、１−Ｄにおいて、この様な検出具２００は、携帯に便利なように、ポストイットのように適当なサイズのものを重ねたもので、使用時に１枚ずつ剥がして使用するものや、糸束又はフィルムをリールに巻いたもので、使用時に引き出して使えるものが使いやすい。使用の際に適度なサイズに切れるように、適度な間隔で切れ目を備えてもよい。
【００１８】
尚、上流配管２０１と下流配管２０１の接続関係が確認されると、例えば所望の対象配管２０３を例えば、Ａ場所のｄ配管に接続するなど確信を持った施工ができる。又、施工前の確認以外に、施工してから、確認することにも使用できることは勿論である。
【産業上の利用可能性】
【００１９】
以上のように本考案による配管接続状態検出具では、配管の出口で液体色を視認するより、はるかに濃い色で、しかも配管の背景の影響をなくして、具体的検出証拠物を提供して検出が可能なので、産業上利用して効果が極めて大きい。
【符号の説明】
【００２０】
２００  検出具
２０１  上流配管
２０２  下流配管
２０３  対象配管
【図１】
0003187308.tif 000003